(57)【特許請求の範囲】
【請求項１】
粘度５〜１０００ｍＰａ・ｓの液状の薬剤を収容する薬剤タンク、薬剤タンクの底部に突出したノズルの先端に開口した孔径１〜５ｍｍの薬剤吐出孔、及び薬剤タンクの上方から供給された水を薬剤吐出孔に誘導する水誘導構造からなる薬剤吐出容器。
【請求項２】
水誘導構造が、前記ノズルの周囲に設けられた水誘導板からなる請求項１記載の薬剤吐出容器。
【請求項３】
薬剤タンクの上方から供給された水に薬剤タンクが晒されることを防止するカバーが薬剤タンク上に備えられている請求項１又は２記載の薬剤吐出容器。
【請求項４】
薬剤タンクの上方から供給された水を薬剤タンクの周囲に放射状に反射させる水反射部材が薬剤タンク上に備えられている請求項１又は２記載の薬剤吐出容器。
【発明の詳細な説明】
【０００１】
【発明の属する技術分野】
本発明は、水洗トイレの手洗い付きロータンクの手洗い部に設置し、手洗い部の上方のカランから給水される水に薬剤（芳香剤、洗浄剤、殺菌剤等）を混合するのに適した薬剤吐出容器に関する。
【０００２】
【従来の技術】
従来の水洗トイレ用の芳香洗浄液滴下容器としては、実公平６−３４４５７号公報に記載されたものが知られている。この芳香洗浄液滴下容器では、カランから注水される水が、芳香洗浄液と水を混合する混合ケースに導かれ、混合ケース内の水位の上昇に応じてフロート弁が押し上げられて芳香洗浄液のボトルの放出孔が開き、それと同時に加圧された混合ケース内の空気がボトル内に送り込まれ、次いでカランからの注水が止まるとフロート弁が下がり、ボトル内から芳香洗浄液が混合ケースに吐出される。そして再度カランから注水が始まると、混合ケースで水と混合された芳香洗浄液が混合ケースの排水口から手洗い部に排水される。
【０００３】
【発明が解決しようとする課題】
しかしながら、実公平６−３４４５７号公報に記載された芳香洗浄液滴下容器の場合、構造的に複雑であり、製造コストが高いという問題がある。更に、芳香洗浄液が固化し易いためにフロート弁が詰まりやすいという問題や、ボトル内の芳香洗浄液と混合ケース内の空気との置換が水圧等の変動により円滑に進まない場合が多く、芳香洗浄液の吐出量が一定しないという問題がある。
【０００４】
また、従来の芳香洗浄液滴下容器を水洗トイレのロータンクの手洗い部に備えると、芳香洗浄液によって手洗い部が汚れるという問題もある。
【０００５】
これに対し、本発明は、製造コストのかからない単純な機構で、安定的に薬剤を吐出でき、水洗トイレのロータンクの手洗い部を汚すことなく使用できる薬剤吐出容器を提供することを目的とする。
【０００６】
【課題を解決するための手段】
上述の目的を達成するため、本発明は、粘度５〜１０００ｍＰａ・ｓの液状の薬剤を収容する薬剤タンク、薬剤タンクの底部に突出したノズルの先端に開口した孔径１〜５ｍｍの薬剤吐出孔、及び薬剤タンクの上方から供給された水を薬剤吐出孔に誘導する水誘導構造からなる薬剤吐出容器を提供する。
【０００７】
【発明の実施の形態】
以下、図面を参照しつつ、本発明を詳細に説明する。なお、各図中、同一符号は同一または同等の構成要素を表している。
【０００８】
図１は、本発明の一態様の薬剤吐出容器１００Ａの斜視図（ａ）、並びにそのノズルと水誘導板の断面図（ｂ）及び平面図（ｃ）であり、図２は、薬剤吐出容器１００Ａの作用を示す断面図である。
【０００９】
この薬剤吐出容器１００Ａは、トイレ用芳香剤、洗浄剤、殺菌剤等の液状の薬剤Ａを収容した薬剤タンク１と、薬剤タンク１の底部に着脱自在に設けられ、薬剤タンク１の底部から突出したノズル２からなっている。ノズル２の先端には薬剤吐出孔３が開口し、そこに薬剤Ａが表面張力により保持されている。また、ノズル２の周囲にはやや湾曲した水誘導板４が放射状に該ノズル２と一体に形成されており、薬剤タンク１の上方から供給された水Ｗが薬剤吐出孔３に誘導され、薬剤吐出孔３に保持されている薬剤Ａが確実に水でさらわれるようにする水誘導構造が形成されている。ここで、ノズル２の長さＬ1 は水誘導板４の長さＬ2の１／２あるいはそれ以上になっており、薬剤吐出孔３の開口面は、ノズル２の長手方向に対して垂直になっている。また、薬剤タンク１には足５が設けられている。
【００１０】
本発明において、薬剤Ａとしては、粘度５〜１０００ｍＰａ・ｓ（２０℃）に調整したものを使用し、薬剤吐出孔３の孔径は１〜５ｍｍとする。薬剤Ａの粘度が１０００ｍＰａ・ｓを超えるか、又は孔径が１ｍｍよりも狭いと、薬剤タンク１から薬剤吐出孔３の先端にまで薬剤Ａが導出されにくくなる。反対に薬剤Ａの粘度が５ｍＰａ・ｓよりも低いか、又は孔径が５ｍｍよりも広いと、薬剤吐出孔３から薬剤Ａが過度に漏出し易くなる。
【００１１】
この薬剤吐出容器１００Ａの使用方法としては、まず、図２（ａ）のように、薬剤Ａが薬剤タンク１に充填されている状態において、薬剤吐出容器１００Ａを水洗トイレの手洗い付きロータンクの手洗い部２０に載置する。この場合、ノズル２の先端部が手洗い部２０に開口しているロータンクの吸水口２１にはまるようにする。
【００１２】
水洗トイレの水をフラッシュさせ、カランから水Ｗが供給されると、図２（ｂ）のように、水Ｗは薬剤タンク１の外面に沿って手洗い部２０に流れ、吸水口２１内に流れ込み、さらに水誘導板４により薬剤吐出孔３を洗うように誘導される。したがって、薬剤吐出孔３に保持されている薬剤Ａが確実に水Ｗでさらわれ、水と共にロータンク内に入る。これに対し、図１４に示した薬剤吐出容器１００Ｘのように、薬剤タンク１とノズル２のみからなり、水誘導構造を持たないものは、カランから給水される水Ｗの勢いが弱いと、薬剤吐出孔３に水Ｗがかからないので薬剤Ａがロータンク内に入らない。また、図１５に示した薬剤吐出容器１００Ｙのように、やや湾曲した板状部材１２をノズル２から離れてノズル２の外周に沿って設けた場合、水Ｗの勢いが強いと板状部材１２同士の隙間から水Ｗは薬剤吐出孔３の方に侵入するが、水Ｗの勢いが弱いと板状部材１２の間隙から水Ｗが侵入できず、薬剤吐出孔３に保持されている薬剤Ａを水Ｗで安定的にさらうことができない。
【００１３】
カランからの給水が止まると、薬剤吐出孔３に保持されている薬剤Ａをさらう水の流れがなくなり、ロータンク内への薬剤Ａの供給も止まる。薬剤タンク１内は、ロータンク内へ供給された薬剤Ａの量に応じて負圧になるが、水で希釈され薬剤吐出孔３に付着していた薬剤と空気とが薬剤吐出孔３から薬剤タンク１内に入るので、薬剤タンク１内は常圧に戻り、カランからの給水前と同様に薬剤吐出孔３には薬剤が保持される。
【００１４】
以降、カランから給水される度にこの作用が繰り返され、薬剤Ａがロータンク内に混入される。
【００１５】
この薬剤吐出容器１００Ａは極めて構成が簡易であり、構成部品の点数が少ない。薬剤タンク１や、水誘導板４と一体になっているノズル２は、プラスチック成型により容易に製造することができる。したがって、この薬剤吐出容器１００Ａはローコストに得ることができる。また、カランからの給水により確実に薬剤Ａをロータンク内に混入させることができ、その際に薬剤Ａが手洗い部２０に広がることもないので、手洗い部２０が薬剤Ａで汚れることもない。さらに、薬剤Ａは、ノズル２を薬剤タンク１から外すことにより随時充填することができる。
【００１６】
なお、薬剤の吐出方式としては、薬剤タンクの底部に多孔質材を設け、その多孔質材に薬剤を浸透させ、水洗トイレの水のフラッシュ時に手洗い部に溜まった水に多孔質材が晒されるようにする方法も考えられるが、多孔質材から染み出た薬剤が直接ロータンク内に入らず、手洗い部に広がるので、手洗い部が汚れるという問題が生じる。
【００１７】
本発明において、ノズル２と水誘導板４の構造としては、図１に示した態様の他に、例えば、図３に示すように、薬剤吐出孔３の開口面をノズル２の長手方向に対して斜めに形成してもよい。この構造によれば、カランからの水量に応じて薬剤吐出容器の設置方向を変え、薬剤吐出孔３の開口方向を変えることにより吐出量を調整することができる。
【００１８】
ノズル２と水誘導板４の長さの関係について、図４に示すように、ノズル２の長さＬ1 を水誘導板４の長さＬ2 よりもやや短い程度にして薬剤吐出孔３の位置を水誘導板の先端４ａに近づけても良く、図５に示すように、薬剤吐出孔３と水誘導板の先端４ａとの形成位置をそろえても良く、さらに図６に示すように、ノズル２の長さＬ1 を水誘導板４の長さＬ2 よりも長くしてノズル２を水誘導板４の先端面から突出させてもよい。ロータンクの手洗い部が、水が溜まりやすいものである場合、薬剤の混入した水が手洗い部に溜まり、手洗い部を汚すことを防止する点から、図６のような構造とすることが好ましい。
【００１９】
水誘導板４の形状としては、図７に示すように平板状としてもよい。また、図８に示すように水誘導板４の形成枚数を増やし、渦巻き状に設けてもよい。図９に示すように、ノズル２を中心として放射状に設けた平板状の水誘導板４ｐとノズル２から離れてノズル２の外周に沿って設けた水誘導板４ｑとを組み合わせても良い。水誘導板４の形状に関し、吐出量を多くする点からは図７の構造とすることが好ましい。
【００２０】
本発明において、薬剤タンクの上方から供給された水を薬剤吐出孔に誘導する水誘導構造は、上述のように水誘導板から形成するものの他、図１０に示す薬剤吐出容器１００Ｂのように、薬剤タンク１の底部に半球状のラウンド部６を設け、その下端部にノズル２を突出させてもよい。水誘導構造としてラウンド部６を設けると、水誘導部を前述のように水誘導板４から形成する場合に比して、薬剤タンク１にかかった水がラウンド部６に沿って流れ、薬剤吐出孔３が確実に水で洗われるという利点がある。一方、水誘導構造を水誘導板４から形成する場合には、吸水口２１の開口面積を塞ぐ割合が少ないので吸水口２１の排水能を低下させず、したがって、薬剤Ａを混入した水が手洗い部２０に溜まらず、手洗い部２０を汚さないという点で好ましい。
【００２１】
ところで、カランから供給される水の温度が気温よりも低い場合（夏場のトイレ等）、カランから供給された水が直接薬剤タンク１に当たると、それにより薬剤タンク１が最初に冷やされて収縮するので薬剤Ａが液だれする。その後、時間が経過して徐々に薬剤タンク内の空気が暖まり、室温に戻ると、薬剤タンク内の空気の膨張により再び薬剤Ａが液だれする。
【００２２】
反対に水温の方が気温よりも高い場合（冬場のトイレ等で起こりやすい）、水が薬剤タンク１に直接当たると、それにより薬剤タンク１内の空気が膨張して薬剤Ａが液だれする。
【００２３】
このため薬剤吐出容器からの薬剤の吐出量が水温と気温との温度差により変動し、薬剤が不要に多く吐出するおそれがある。
【００２４】
これに対し、本発明の薬剤吐出容器においては、カランから供給される水が薬剤タンク１に直接的に当たることを防止する手段を設け、水温あるいは気温の変動によらず、薬剤タンクからの薬剤の吐出量が安定化するようにしてもよい。
【００２５】
例えば、図１１に示す薬剤吐出容器１００Ｃのように、薬剤タンク１上に水反射部材７を設けることができる。なお、図１１の薬剤吐出容器１００Ｃにおいて、ノズル２と水誘導板４は、図１の薬剤吐出容器１００Ａと同様に構成したものである。
【００２６】
水反射部材７は、Ｒ形状の中央部８とフラットな周辺部９からなっている。水反射部材７の上方から水が供給されると、図１２に示すように、水Ｗは薬剤タンク１の周囲に放射状に反射されるので、薬剤タンク１が水Ｗに晒されることを防止し、薬剤の吐出量を安定化させることができる。さらに放射状に反射された水は、美しい水のベールの外観を呈するので、薬剤吐出容器の使用感を向上させることもできる。
【００２７】
ここで、反射する水Ｗの広がりは、水反射部材７の径Ｌ3 あるいは中央部８の弧の長さＬ4 を大きくすることにより小さくすることができるので、水反射部材７で反射した水が手洗い部の外に飛び散らないように、これらの大きさを適宜調整する。
【００２８】
水反射部材７には、必要に応じて孔１０を設けてもよい。孔１０によっても水反射部材７で反射される水の勢いを弱めることができるので、孔１０の径や形成個数を適宜調整することにより、水反射部材７で反射した水が手洗い部の外へ飛び散ることを防止できる。水の勢いの調整のため、水反射部材７には、孔１０に代えてスリットを設けてもよい。
【００２９】
この他、水反射部材は、Ｒ形状の中央部を省略し、フラットな平板のみから形成してもよい。
【００３０】
本発明の薬剤吐出容器において、水温あるいは気温の変動によらず、薬剤タンクからの薬剤の吐出量を安定化させるために、カランから供給される水が薬剤タンク１に直接的に当たることを防止する手段としては、図１３に示す薬剤吐出容器１００Ｄのように、薬剤タンク１上に、好ましくは薬剤タンク１の上半分以上を覆う大きさのカバー１１を設けてもよい。
【００３１】
【実施例】
実施例１〜３、比較例１
実施例１〜３として、図１の薬剤吐出容器１００Ａ、図１３の薬剤吐出容器１００Ｄ、図１１の薬剤吐出容器１００Ｃを作製した。また、比較例１として図１４の薬剤吐出容器１００Ｘを作製した。これらの薬剤吐出容器において、薬剤タンクの容量は１００ｍＬ、薬剤吐出孔３の孔径は２．０ｍｍとした。また、薬剤としては、表１の組成の青色薬剤（粘度８０ｍＰａ・ｓ（２０℃））を４０ｍＬ充填した。
【００３２】
【表１】
0003539421.tif 000002
【００３３】
評価
実施例１〜３、比較例１の各薬剤吐出容器を、４箇所の試験宅において水洗トイレの手洗い付きロータンクの手洗い部に設置し、６０分間隔で合計５００回トイレの水をフラッシュし、その後のロータンク内の吸光度（６６０ｎｍ）を測定した。結果を表２に示す。
【００３４】
【表２】
0003539421.tif 000003
【００３５】
表２から、水誘導構造のある実施例１〜３では確実に薬剤がロータンク内に吐出されているが、水誘導部材が無い比較例１では薬剤の吐出量が少なく、吐出されない場合もあることがわかる。
【００３６】
さらに、薬剤タンク上にカバー（実施例２）又は水反射部材（実施例３）があると吐出量が安定することがわかる。
【００３７】
【発明の効果】
本発明の薬剤吐出容器によれば、製造コストのかからない単純な機構で安定的に薬剤を吐出させることができ、また、水洗トイレのロータンクの手洗い部を汚すことなく使用できる。
【図面の簡単な説明】
【図１】薬剤吐出容器の斜視図（ａ）、並びにそのノズルと水誘導板の断面図（ｂ）及び薬剤吐出孔側から見た平面図（ｃ）である。
【図２】薬剤吐出容器の作用を示す断面図である。
【図３】ノズルと水誘導板の斜視図（ａ）、断面図（ｂ）、薬剤吐出孔側から見た平面図（ｃ）である。
【図４】ノズルと水誘導板の斜視図（ａ）、断面図（ｂ）、薬剤吐出孔側から見た平面図（ｃ）である。
【図５】ノズルと水誘導板の斜視図（ａ）、断面図（ｂ）、薬剤吐出孔側から見た平面図（ｃ）である。
【図６】ノズルと水誘導板の斜視図（ａ）、断面図（ｂ）、薬剤吐出孔側から見た平面図（ｃ）である。
【図７】ノズルと水誘導板の斜視図（ａ）、断面図（ｂ）、薬剤吐出孔側から見た平面図（ｃ）である。
【図８】ノズルと水誘導板の斜視図（ａ）、断面図（ｂ）、薬剤吐出孔側から見た平面図（ｃ）である。
【図９】ノズルと水誘導板の斜視図（ａ）、断面図（ｂ）、薬剤吐出孔側から見た平面図（ｃ）である。
【図１０】薬剤吐出容器の斜視図（ａ）、断面図（ｂ）、及びノズルと水誘導構造を薬剤吐出孔側から見た平面図（ｃ）である。
【図１１】薬剤吐出容器の斜視図（ａ）、断面図（ｂ）、及び薬剤吐出孔側から見たノズルと水誘導板の平面図（ｃ）である。
【図１２】薬剤吐出容器の作用を示す斜視図である。
【図１３】薬剤吐出容器の斜視図（ａ）、断面図（ｂ）、及び薬剤吐出孔側から見たノズルと水誘導板の平面図（ｃ）である。
【図１４】比較例の薬剤吐出容器の断面図（ａ）、及び薬剤吐出孔側から見たノズルの平面図（ｂ）である。
【図１５】比較例の薬剤吐出容器の断面図（ａ）、及び薬剤吐出孔側から見たノズルと板状部材の平面図（ｂ）である。
【符号の説明】
１    薬剤タンク
２    ノズル
３    薬剤吐出孔
４    水誘導板
６    ラウンド部
７    水反射部材
２０    手洗い部
２１    ロータンクの吸水口
１００Ａ、１００Ｂ、１００Ｃ、１００Ｄ  薬剤吐出容器
【図１】
0003539421.tif 000004
【図２】
0003539421.tif 000005
【図３】
0003539421.tif 000006
【図４】
0003539421.tif 000007
【図５】
0003539421.tif 000008
【図６】
0003539421.tif 000009
【図７】
0003539421.tif 000010
【図８】
0003539421.tif 000011
【図９】
0003539421.tif 000012
【図１０】
0003539421.tif 000013
【図１１】
0003539421.tif 000014
【図１２】
0003539421.tif 000015
【図１３】
0003539421.tif 000016
【図１４】
0003539421.tif 000017
【図１５】
0003539421.tif 000018